【手続補正書】
【提出日】平成16年5月13日(2004.5.13)
【手続補正１】
【補正対象書類名】明細書
【補正対象項目名】特許請求の範囲
【補正方法】変更
【補正の内容】
【特許請求の範囲】
【請求項１】
入力画像データに応じて画像が表示される画像表示領域の輝度ムラを補正する画像データ補正方法であって、
前記入力画像データが取り得るレベルのうち、複数の特定レベルに対応する基準補正データを、前記画像表示領域内において予め定められた複数の基準座標毎に記憶し、
前記基準補正データに対しレベルに応じて補間処理を施して、前記入力画像データの取り得るレベルの各々に対応した第１補正データを、前記基準座標毎に生成するとともに、該第１補正データを基準座標とレベルとに対応づけて記憶し、
記憶した第１補正データの中から、前記入力画像データでの画像表示領域内における座標の近傍に位置する複数の基準座標に対応し、かつ、該入力画像データのレベルに対応するものを選択し、
選択した第１補正データに対し座標に応じて補間処理を施して、前記入力画像データに対応する第２補正データを生成し、
当該第２補正データを前記入力画像データに加算する
ことを特徴とする画像データ補正方法。
【請求項２】
入力画像データに応じて画像が表示される画像表示領域の輝度ムラを補正する画像処理回路であって、
前記入力画像データが取り得るレベルのうち、複数の特定レベルに対応する基準補正データを、前記画像表示領域内において予め定められた複数の基準座標毎に記憶する第１記憶手段と、
前記基準補正データに対しレベルに応じて補間処理を施して、前記入力画像データの取り得るレベルの各々に対応した第１補正データを、前記基準座標毎に生成する第１補間手段と、
該第１補正データを基準座標とレベルとに対応づけて記憶する第２記憶手段と、
前記第２記憶手段に記憶された第１補正データの中から、前記入力画像データでの画像表示領域内における座標の近傍に位置する複数の基準座標に対応し、かつ、該入力画像データのレベルに対応するものを選択する選択手段と、
前記選択手段により選択された第１補正データに対し座標に応じて補間処理を施して、前記入力画像データに対応する第２補正データを生成する第２補間手段と、
当該第２補正データを前記入力画像データに加算する加算手段と
を具備することを特徴とする画像処理回路。
【請求項３】
入力画像データに応じて画像が表示される画像表示領域の輝度ムラを補正する画像処理回路であって、
前記入力画像データが取り得るレベルのうち、複数の特定レベルに対応する基準補正データを、前記画像表示領域内において予め定められた複数の基準座標毎に記憶するメモリと、
前記基準補正データに対しレベルに応じて補間処理を施して、前記入力画像データの取り得るレベルの各々に対応した第１補正データを、前記基準座標毎に生成する補間処理部と、
該第１補正データを基準座標とレベルとに対応づけて記憶する補正テーブルと、
前記補正テーブルに記憶された第１補正データの中から、前記入力画像データでの画像表示領域内における座標の近傍に位置する複数の基準座標に対応し、かつ、該入力画像データのレベルに対応するものを選択する選択回路と、
前記選択回路により選択された第１補正データに対し座標に応じて補間処理を施して、前記入力画像データに対応する第２補正データを生成する演算部と、
当該第２補正データを前記入力画像データに加算する加算部と
を具備することを特徴とする画像処理回路。
【請求項４】
前記画像表示領域には、Ｘ方向に延在する複数の走査線と、Ｙ方向に延在する複数のデータ線と、これらのデータ線および走査線の交差に対応する画素とが設けられ、
前記選択回路は、
前記画像表示領域のＸ方向走査の時間基準となる第１クロック信号を計数して、前記画像表示領域において前記入力画像データに対応する画素のＸ座標を指示するＸ座標データを生成するＸカウンタと、
前記画像表示領域のＹ方向走査の時間基準となる第２クロック信号を計数して、前記画像表示領域において前記入力画像データに対応する画素のＹ座標を指示するＹ座標データを生成するＹカウンタと、
前記Ｘ座標データと前記Ｙ座標データとから、前記入力画像データの座標近傍に位置する複数の基準座標を特定するとともに、該特定された複数の基準座標と前記入力画像データのレベルとにより、前記補正テーブルから対応する複数の補正データを読み出すためのアドレスを発生するアドレス発生部とを備え、
前記演算部は、前記Ｘ座標データと前記Ｙ座標データとによって特定される入力画像データの座標から、前記アドレス発生部により読み出された複数の補正データに対応する基準座標の各々までの距離に応じて補間処理を行う
ことを特徴とする請求項３に記載の画像処理回路。
【請求項５】
前記入力画像データは、ＲＧＢの各色に対応するデータから構成され、
前記基準補正データは、ＲＧＢの各色に対応するデータから構成され、
前記メモリ、前記補間処理部、前記Ｘカウンタおよび前記Ｙカウンタは、ＲＧＢの各色で兼用され、
前記補正テーブル、前記演算部、前記アドレス発生部および前記加算部は、ＲＧＢの色毎に対応して設けられる
ことを特徴とする請求項４に記載の画像処理回路。
【請求項６】
前記画像表示領域には、Ｘ方向に延在する複数の走査線と、Ｙ方向に延在する複数のデータ線と、これらのデータ線および走査線の交差に対応して、電極間に液晶を挟持してなる画素とが設けられ、
前記複数の特定レベルに対応する基準補正データは、前記液晶に印加される電圧実効値に対する透過率または反射率を示す表示特性曲線が急峻に変化する第１および第２変化点の各々に対応する第１および第２レベルと、第１および第２レベルの間における１以上のレベルとに対応する補正データである
ことを特徴とする請求項３に記載の画像処理回路。
【請求項７】
前記補間処理部は、
前記第１レベルから前記第２レベルまでのレベルの各々に対応する第１補正データについては、前記基準補正データに補間処理を施して生成し、
前記第１レベル未満のレベルの各々に対応する第１補正データについては、前記第１レベルに対応する基準補正データを用い、
前記第２レベルを越えるレベルの各々に対応する第１補正データについては、前記第２レベルに対応する基準補正データを用い、
前記補正テーブルは、
前記第１レベルから前記第２レベルまでの各レベルについて補正データを記憶し、
前記選択回路は、
前記補正テーブルに記憶された補正データのうち、
前記入力画像データのレベルが前記第１レベル未満である場合には、前記第１レベルに対応する補正データを選択し、
前記入力画像データのレベルが前記第１レベルから前記第２レベルまでの範囲にある場合には、当該レベルに対応する補正データを選択し、
前記入力画像データのレベルが前記第２レベルを越える場合には、前記第２レベルに対応する補正データを選択する
ことを特徴とする請求項６に記載の画像処理回路。
【請求項８】
前記入力画像データのレベルが前記第１レベル未満である場合、または、前記第２レベルを越える場合に、
当該画像入力レベルと前記第１または第２レベルとの差に応じた係数を出力する係数出力部と、
前記係数出力部による係数と、前記選択回路により選択された第１または第２レベルに対応する補正データの各々とを乗算する乗算器と
を備え、
前記演算部は、
前記乗算器による乗算結果を、前記選択回路により選択された第１補正データとして用いる
ことを特徴とする請求項７に記載の画像処理回路。
【請求項９】
前記係数出力部は、
前記入力画像データが前記第１レベル未満である領域、または、前記第２レベルを越える領域において、少なくとも２以上のレベルに対応する係数を記憶するルックアップテーブルと、
前記ルックアップテーブルに記憶された係数を補間して、当該入力画像データに対応する係数を求める係数補間部と
を備えることを特徴とする請求項８に記載の画像処理回路。
【請求項１０】
前記入力画像データは、ＲＧＢの各色に対応するデータから構成され、
前記基準補正データは、ＲＧＢの各色に対応するデータから構成され、
前記補間処理部は、ＲＧＢの各色に対応して第１補正データを生成し、
前記補正テーブル、前記演算部および前記加算部は、ＲＧＢの色毎に設けられる
ことを特徴とする請求項３に記載の画像処理回路。
【請求項１１】
前記Ｇの基準補正データにおけるデータ量は、前記Ｒまたは前記Ｂの基準補正データにおけるデータ量より多い
ことを特徴とする請求項１０に記載の画像処理回路。
【請求項１２】
前記Ｒまたは前記Ｂの基準補正データは、前記Ｇの基準補正データに対応する基準座標の複数を一定の規則で抽出した座標に対応するものである
ことを特徴とする請求項１１に記載の画像処理回路。
【請求項１３】
請求項３乃至１２のうちいずれかに記載の画像処理回路と、
前記画像処理回路によって補正された画像データに基づいて前記画像表示領域に画像を表示する駆動回路と
を備えることを特徴とする電気光学装置。
【請求項１４】
請求項１３に記載の電気光学装置を備える
ことを特徴とする電子機器。
【手続補正２】
【補正対象書類名】明細書
【補正対象項目名】０００８
【補正方法】変更
【補正の内容】
【０００８】
【課題を解決するための手段】
上記目的を達成するため、本件第１発明に係る画像データ補正方法にあっては、入力画像データに応じて画像が表示される画像表示領域の輝度ムラを補正する画像データ補正方法であって、前記入力画像データが取り得るレベルのうち、複数の特定レベルに対応する基準補正データを、前記画像表示領域内において予め定められた複数の基準座標毎に記憶し、前記基準補正データに対しレベルに応じて補間処理を施して、前記入力画像データの取り得るレベルの各々に対応した第１補正データを、前記基準座標毎に生成するとともに、該第１補正データを基準座標とレベルとに対応づけて記憶し、記憶した第１補正データの中から、前記入力画像データでの画像表示領域内における座標の近傍に位置する複数の基準座標に対応し、かつ、該入力画像データのレベルに対応するものを選択し、選択した第１補正データに対し座標に応じて補間処理を施して、前記入力画像データに対応する第２補正データを生成し、当該第２補正データを前記入力画像データに加算する方法を特徴としている。
【手続補正３】
【補正対象書類名】明細書
【補正対象項目名】０００９
【補正方法】変更
【補正の内容】
【０００９】
この方法によれば、予め記憶されるデータは、画像表示領域内における複数の基準座標毎に対応し、かつ、入力画像データの取り得るレベルのうち、複数の特定レベルの各々に対応する基準補正データだけであるので、必要なメモリ容量を削減することが可能となる。さらに、この基準補正データにレベルに応じた補間処理が施されて、第１補正データが生成され、さらに、該第１補正データに座標に応じた補間処理が施されて第２補正データが生成されて、これにより入力画像データが補正される。このため、輝度ムラの補正は、該入力画像データの各レベルに対応し、かつ、該入力画像データの座標に対応して実行されるので、精度良く輝度ムラが低減されることになる。
【手続補正４】
【補正対象書類名】明細書
【補正対象項目名】００１０
【補正方法】変更
【補正の内容】
【００１０】
次に、上記目的を達成するため、本件第２発明に係る画像処理回路にあっては、入力画像データに応じて画像が表示される画像表示領域の輝度ムラを補正する画像処理回路であって、前記入力画像データが取り得るレベルのうち、複数の特定レベルに対応する基準補正データを、前記画像表示領域内において予め定められた複数の基準座標毎に記憶する第１記憶手段と、前記基準補正データに対しレベルに応じて補間処理を施して、前記入力画像データの取り得るレベルの各々に対応した第１補正データを、前記基準座標毎に生成する第１補間手段と、該第１補正データを基準座標とレベルとに対応づけて記憶する第２記憶手段と、前記第２記憶手段に記憶された第１補正データの中から、前記入力画像データでの画像表示領域内における座標の近傍に位置する複数の基準座標に対応し、かつ、該入力画像データのレベルに対応するものを選択する選択手段と、前記選択手段により選択された第１補正データに対し座標に応じて補間処理を施して、前記入力画像データに対応する第２補正データを生成する第２補間手段と、当該第２補正データを前記入力画像データに加算する加算手段とを具備する構成を特徴としている。
この構成によれば、上記第１発明と同様に、輝度ムラの補正が、該入力画像データの各レベルに対応し、かつ、該入力画像データの座標に対応して実行されるので、精度良く輝度ムラが低減されることになる。
【手続補正５】
【補正対象書類名】明細書
【補正対象項目名】００１１
【補正方法】変更
【補正の内容】
【００１１】
同様に、上記目的を達成するために、本件第３発明に係る画像処理回路にあっては、入力画像データに応じて画像が表示される画像表示領域の輝度ムラを補正する画像処理回路であって、前記入力画像データが取り得るレベルのうち、複数の特定レベルに対応する基準補正データを、前記画像表示領域内において予め定められた複数の基準座標毎に記憶するメモリと、前記基準補正データに対しレベルに応じて補間処理を施して、前記入力画像データの取り得るレベルの各々に対応した第１補正データを、前記基準座標毎に生成する補間処理部と、該第１補正データを基準座標とレベルとに対応づけて記憶する補正テーブルと、前記補正テーブルに記憶された第１補正データの中から、前記入力画像データでの画像表示領域内における座標の近傍に位置する複数の基準座標に対応し、かつ、該入力画像データのレベルに対応するものを選択する選択回路と、前記選択回路により選択された第１補正データに対し座標に応じて補間処理を施して、前記入力画像データに対応する第２補正データを生成する演算部と、当該第２補正データを前記入力画像データに加算する加算部とを具備する構成を特徴としている。この構成によれば、上記第１および第２発明と同様に、輝度ムラの補正が、該入力画像データの各レベルに対応し、かつ、該入力画像データの座標に対応して実行されるので、精度良く輝度ムラが低減されることになる。
【手続補正６】
【補正対象書類名】明細書
【補正対象項目名】００１２
【補正方法】変更
【補正の内容】
【００１２】
さて、この第３発明において、前記画像表示領域には、Ｘ方向に延在する複数の走査線と、Ｙ方向に延在する複数のデータ線と、これらのデータ線および走査線の交差に対応する画素とが設けられ、前記選択回路は、前記画像表示領域のＸ方向走査の時間基準となる第１クロック信号を計数して、前記画像表示領域において前記入力画像データに対応する画素のＸ座標を指示するＸ座標データを生成するＸカウンタと、前記画像表示領域のＹ方向走査の時間基準となる第２クロック信号を計数して、前記画像表示領域において前記入力画像データに対応する画素のＹ座標を指示するＹ座標データを生成するＹカウンタと、前記Ｘ座標データと前記Ｙ座標データとから、前記入力画像データの座標近傍に位置する複数の基準座標を特定するとともに、該特定された複数の基準座標と前記入力画像データのレベルとにより、前記補正テーブルから対応する複数の補正データを読み出すためのアドレスを発生するアドレス発生部とを備え、前記演算部は、前記Ｘ座標データと前記Ｙ座標データとによって特定される入力画像データの座標から、前記アドレス発生部により読み出された複数の補正データに対応する基準座標の各々までの距離に応じて補間処理を行う構成が好ましい。この構成によれば、あるタイミングの入力画像データが、画像表示領域においていかなる座標に対応するかについてが、Ｘ、Ｙ座標データにより特定されることになる。そして、当該座標の近傍に位置する基準座標に対応する補正データを、座標に応じて補間処理することにより、当該座標に対応する第２補正データが生成されるので、入力画像データに対する輝度ムラの補正を、対応する座標毎に正確に行うことができる。